【手続補正書】
【提出日】平成20年7月31日(2008.7.31)
【手続補正１】
【補正対象書類名】明細書
【補正対象項目名】特許請求の範囲
【補正方法】変更
【補正の内容】
【特許請求の範囲】
【請求項１】 心拍動の一致を検出する方法（５０）であって、第１及び第２の心拍動発生源のそれぞれから第１及び第２の信号を受け取るステップ（５２）と、第１の信号上で第１の心拍動発生（９０、９６）を検出するステップであって、該第１の心拍動発生（９０、９６）の各々はその発生に関連するそれぞれの時刻を有している、検出ステップ（５２）と、第２の信号上で第２の心拍動発生（９２、９８）を検出するステップであって、該第２の心拍動発生（９２、９８）の各々はその発生に関連するそれぞれの時刻を有している、検出ステップ（５２）と、一致を検出するために、第１と第２の心拍動発生の前記時刻を比較するステップと、を含み、前記比較するステップが、第１と第２の心拍動発生の間の時間オフセットを計算するステップ（５６）と第１の時間オフセットと第２の時間オフセットの間のジッタを計算するステップ（６２）を含む方法。
【請求項２】 心拍動の一致を検出する方法（５０）であって、第１及び第２の心拍動発生源のそれぞれから第１及び第２の信号を受け取るステップ（５２）と、第１の信号上で第１の心拍動発生（９０、９６）を検出するステップであって、該第１の心拍動発生（９０、９６）の各々はその発生に関連するそれぞれの時刻を有している、検出ステップ（５２）と、第２の信号上で第２の心拍動発生（９２、９８）を検出するステップであって、該第２の心拍動発生（９２、９８）の各々はその発生に関連するそれぞれの時刻を有している、検出ステップ（５２）と、一致を検出するために、第１と第２の心拍動発生の前記時刻を比較するステップと、を含み、前記比較するステップが２回の第１の心拍動発生（９０、９６）の間に起きる第２の心拍動発生（９２、９８）の回数を計算するステップ（５４、５５）を含んでおり、当該方法がさらに、２回の第１の心拍動発生（９０、９６）の間に複数回の第２の心拍動発生（９２、９８）が起きたときに乖離信号を発生させるステップ（８２）を含む方法（５０）。
【請求項３】 心拍動の一致を検出する方法（５０）であって、第１及び第２の心拍動発生源のそれぞれから第１及び第２の信号を受け取るステップ（５２）と、第１の信号上で第１の心拍動発生（９０、９６）を検出するステップであって、該第１の心拍動発生（９０、９６）の各々はその発生に関連するそれぞれの時刻を有している、検出ステップ（５２）と、第２の信号上で第２の心拍動発生（９２、９８）を検出するステップであって、該第２の心拍動発生（９２、９８）の各々はその発生に関連するそれぞれの時刻を有している、検出ステップ（５２）と、一致を検出するために、第１と第２の心拍動発生の前記時刻を比較するステップと、を含み、前記比較するステップが、第１と第２の心拍動発生の間の時間オフセットを計算するステップ（５６）と第１の時間オフセットと第２の時間オフセットの間のジッタを計算するステップ（６２）と前記ジッタを所定のジッタ値と比較するステップ（６４）と、そのジッタが所定のジッタ値未満の場合に一致カウンタを増分させるステップ（６６）と一致カウンタの乖離カウンタに対する比に基づき一致指標を計算するステップ（７２）と前記時間オフセットに基づいて一致信号または乖離信号を発生させるステップ（７４、８２）を含む方法。
【請求項４】 心拍動の一致を検出するためのシステム（１０）であって、第１及び第２の心拍動発生源のそれぞれから第１及び第２の信号を受け取るための手段（１２、５２）と、第１の信号上で第１の心拍動発生（９０、９６）を検出するための検出手段であって、該第１の心拍動発生（９０、９６）の各々はその発生に関連するそれぞれの時刻を有している、検出手段（２２、５２）と、第２の信号上で第２の心拍動発生（９２、９８）を検出するための手段であって、該第２の心拍動発生（９２、９８）の各々はその発生に関連するそれぞれの時刻を有している、検出手段（２２、５２）と、一致を検出するために第１と第２の心拍動発生の前記時刻を比較するための比較手段（２４）と、を備え、前記比較手段（２４）が第１と第２の心拍動発生の間の時間オフセットを計算するための手段（２４、５６）と第１の時間オフセットと第２の時間オフセットの間のジッタを計算する手段（６２）を含むシステム。
【請求項５】 心拍動の一致を検出するためのシステム（１０）であって、第１及び第２の心拍動発生源のそれぞれから第１及び第２の信号を受け取るための手段（１２、５２）と、第１の信号上で第１の心拍動発生（９０、９６）を検出するための検出手段であって、該第１の心拍動発生（９０、９６）の各々はその発生に関連するそれぞれの時刻を有している、検出手段（２２、５２）と、第２の信号上で第２の心拍動発生（９２、９８）を検出するための手段であって、該第２の心拍動発生（９２、９８）の各々はその発生に関連するそれぞれの時刻を有している、検出手段（２２、５２）と、一致を検出するために第１と第２の心拍動発生の前記時刻を比較するための比較手段（２４）と、を備え、前記比較手段（２４）が２回の第１の心拍動発生（９０、９６）の間に起きる第２の心拍動発生（９２、９８）の回数を計算するための手段（２４、５４、５５）を含み、前記システムがさらに、２回の第１の心拍動発生（９０、９６）の間に複数回の第２の心拍動発生（９２、９８）が起きたときに乖離信号を発生させるための手段（２４、８２）を備えるシステム。
【請求項６】 前記比較手段（２４）が、第１と第２の信号のいずれか一方での心拍動発生の検出に応答して実行されている、請求項５に記載のシステム（１０）。
【請求項７】 第１及び第２の心臓信号を受け取ること、第１及び第２の心臓信号上でそれぞれ第１及び第２の心拍動（９０、９２、９６、９８）を検出すること、第１及び第２の心拍動（９０及び９２、９６及び９８）のそれぞれの間の位相シフト（９４）を計算すること、並びに前記位相シフトに基づき表示信号を発生させることを行うように構成したプロセッサ（２２、２４）と、前記表示信号を受け取ること、及び前記表示信号を操作者に提供することを行うように構成した出力装置（３０）と、を備え、前記プロセッサ（２２、２４）が前記位相シフトに基づきジッタを計算する心拍動一致検出システム（１０）。
【請求項８】 前記プロセッサ（２２、２４）が、第１及び第２の心臓信号を受け取ること、並びに前記第１及び第２の心臓信号上で第１及び第２の心拍動（９０、９２、９６、９８）を検出することを行うように構成したディジタル信号プロセッサ（２２）を含む、請求項７に記載の心拍動一致検出システム（１０）。
【請求項９】 前記プロセッサ（２２、２４）と結合されており、第１及び第２の心臓信号を受け取ること、並びに前記プロセッサ（２２、２４）に前記第１及び第２の心臓信号を提供することを行うように構成した入力／出力装置（１２）をさらに備える、請求項７に記載の心拍動一致検出システム（１０）。
【請求項１０】 前記プロセッサ（２２、２４）が、前記位相シフトに基づきジッタを計算すること、前記ジッタをジッタしきい値と比較すること、並びに前記比較に基づいて表示信号を発生させることを行うように構成されている、請求項７に記載の心拍動一致検出システム（１０）。
【請求項１１】 前記プロセッサ（２２、２４）が、前記位相シフトに基づいて最大位相シフトを計算すること、前記最大位相シフトを最大位相シフトしきい値と比較すること、並びに前記比較に基づいて表示信号を発生させることを行うように構成されている、請求項７に記載の心拍動一致検出システム（１０）。